(57)【特許請求の範囲】
【請求項１】
発熱部品を収納する収納空間を備えたフレームと、このフレームに区画形成された照明室を有する表示部と、前記照明室に対応する光源と、光源を保持する光源保持部材と、光源保持部材を支持する支持部材とを備えた計器装置において、前記照明室と前記支持部材との間に、前記収納空間と前記フレーム外部とを連通する連通部を設け、前記照明室が貫通孔を備えた底面を備え、前記貫通孔を前記光源保持部材が貫通し、前記光源が前記照明室内に位置したことを特徴とする計器装置の放熱構造。
【発明の詳細な説明】
【０００１】
【発明の属する技術分野】
本発明は、計器装置の放熱構造に関し、特に光源を有する照明室を備えた表示部を有する計器装置の放熱構造に関するものである。
【０００２】
【従来の技術】
従来の計器装置は、例えば、図５から図７に示すものがある。この計器装置１は、速度計２，エンジン回転数計３，エンジン冷却水温計４，燃料残量計５などの指針を用いた指示計器と、ターンシグナルやシートベルト警報などの光源の点灯により車両の状態を表示する表示部６を備えている。特に、表示部６は複数個設けられている。
【０００３】
この計器装置１は、合成樹脂製の底面を備えた箱形状のフレーム７に形成された収納空間Ｓ内に、速度計２，エンジン回転数計３，エンジン冷却水温計４，燃料残量計５を構成する指針駆動ムーブメントと呼ばれる交差コイル式計器本体８を備えている。９は速度計２，エンジン回転数計３，エンジン冷却水温計４，燃料残量計５の文字板や指針などを照明するために設けられた白熱ランプからなる光源である。１０は表示部６を構成する区画された照明室であり、この照明室１０は貫通し、その背面には、ガラスエポキシ樹脂からなる硬質の回路基板１１が設けられ、その内部には、表示部６を構成する光源１２が設けられている。この光源１２は光源保持部材１３により回路基板１１に固定されている。なお、照明室１０には光源１２が必ず設けられているわけではなく、この計器装置１が取り付けられる車両のグレードやオプション部品などによって、光源１２が設けられていない照明室１０も存在する。
【０００４】
【発明が解決しようとする課題】
従来の計器装置では、表示部６が計器装置１の上側（図６中の上側）に設けられているため、収納空間Ｓに収納されている発熱部品である光源９の点灯などにより収納空間Ｓ内の温度が上昇した場合に、効率的に収納空間Ｓ内の熱を逃がすのに効率のよい部分である計器装置１の上側を表示部６によって塞がれているため、放熱構造としては、フレーム７の両脇や下側に放熱用貫通した長孔を形成していたが、効果的な放熱作用を得ることができず、熱対策のために、耐熱性の部材を用いたり、ひいては、表示部６を計器装置１の上側に配置するレイアウトをやめ、下側や両脇に配置するなどの方策を採らなければならず、計器装置１のレイアウトにも影響を与え、設計の自由度を下げていた。
【０００５】
そこで、本発明は、効率的な放熱を行うことが可能であり、また、計器装置の設計の自由度を上げることが可能な計器装置の放熱構造を提供することを目的とする。
【０００６】
【課題を解決するための手段】
本発明は、発熱部品を収納する収納空間を備えたフレームと、このフレームに区画形成された照明室を有する表示部と、前記照明室に対応する光源と、光源を保持する光源保持部材と、光源保持部材を支持する支持部材とを備えた計器装置において、前記照明室と前記支持部材との間に、前記収納空間と前記フレーム外部とを連通する連通部を設け、前記照明室が貫通孔を備えた底面を備え、前記貫通孔を前記光源保持部材が貫通し、前記光源が前記照明室内に位置したものである。
【０００９】
【発明の実施の形態】
本発明の計器装置の放熱構造は、発熱部品である光源９を収納する収納空間Ｓを備えたフレーム７と、このフレーム７に区画形成された照明室１０を有する表示部６と、照明室１０に対応する光源１２と、この光源１２を保持する光源保持部材１３と、光源保持部材１３を支持する支持部材である回路基板１１とを備えた計器装置１において、照明室１０と回路基板１１との間に、収納空間Ｓとフレーム７外部とを連通する連通部１５を設け、照明室１０が貫通孔１６を備えた底面１７を備え、貫通孔１６を光源保持部材１３が貫通し、光源１２が照明室１０内に位置したものである。このように構成したことにより、効率的な放熱を行うことが可能な計器装置の放熱構造を提供することができる。また、表示部６が上側に配置されるレイアウトであっても、効率的な放熱を行うことができるので、計器装置１の設計の自由度を上げることが可能な計器装置の放熱構造を提供することができる。また、照明室１０内から光源１２の光の洩れを防止することができ、表示部６の疑似点灯を防止することが可能な計器装置の放熱構造を提供することができる。
【００１２】
【実施例】
以下、添付図面に基づいて本発明の一実施例を説明する。なお、前記従来例と同一及び相当箇所には同一符号を付してその詳細な説明は省略する。
【００１３】
本発明の実施例における計器装置の放熱構造は、本実施例において発熱部品である光源９を収納する収納空間Ｓを備えたフレーム７と、このフレーム７に区画形成された、照明室１０を備えた表示部６と、照明室１０に対応する光源１２と、光源１２を保持する光源保持部材１３と、光源保持部材１３を支持する支持部材である回路基板１１とを備え、照明室１０と回路基板１１との間に、収納空間Ｓとフレーム７外部とを連通する連通部１５を設けたものである。
【００１４】
照明室１０は白色の合成樹脂製のフレーム７に区画形成されたものであり、計器装置１の上側に一列に沿って複数形成されている。この照明室１０には貫通孔１６を備えた底面１７が形成されている。なお、本実施例では、底面１７から回路基板１１方向に延長形成されたスカート部１８が形成されている。
【００１５】
光源１２は本実施例では、フィラメントが光る白熱ランプであるが、発光ダイオードを使用してもよい。光源保持部材１３は合成樹脂から成り、円筒形の延長部１３ａの先端に光源１２を保持し、回路基板１１に固定されるものであり、回路基板１１の図示しない配線パターンと光源１２とを電気的に接続する配線をその内部に収納している。
【００１６】
光源１２は、貫通孔１６を光源保持部材１３の延長部１３ａの一部が貫通し、光源１２が照明室１０内に位置している。
【００１７】
以上の構成により、フレーム７の収納空間Ｓに収納される光源９などの発熱部品からの熱を効率的にフレーム７外部に放熱することが可能となり、耐熱性の部品等を用いる必要がない。また、表示部６を計器装置１の上側にレイアウトしても、放熱が確実に行えるため、放熱対策のために、計器装置のレイアウトを変更する必要性がないため、計器装置１のレイアウトに制限を与えない計器装置の放熱構造を提供することができる。
【００１８】
また、照明室１０に貫通孔１６を備えた底面１７を形成し、光源１２が貫通孔１６を光源保持部材１３の延長部１３ａの一部が貫通し、光源１２が照明室１０内に位置していることにより、光源１２の光が貫通孔１６から漏れにくく、光源１２の点灯による他の表示部６の疑似点灯を防止することができる。また、底面１７から回路基板１１方向にスカート部１８を延長形成したことにより、より光源１２の疑似点灯を防止することができる。
【００１９】
本実施例では、支持部材１１を回路基板で形成したが、前記実施例に限定されるものではなく、フレーム７で一体に形成してもよい。なお、本実施例のように、支持部材１１を硬質の回路基板１１とした場合に、フレーム７を成形により形成する場合に、フレーム７の構造を簡単にでき、ひいては、フレーム７を形成する金型の形状を簡単にでき、よって製造コストを引き下げることができる。
【００２０】
なお、前記実施例では、表示部６は計器装置１の上側に２列で形成されていたが、前記実施例に限定されるものではなく、１列でもよいし、また、３列以上でも、なんら問題はない。
【００２１】
さらに、前記実施例では、表示部６は計器装置１の上側に形成されるとともに、連通部１５も計器装置１の上側に形成されることにより、効率的に放熱を行っていたが、例えば、連通部１５は計器装置１の上側にのみ限定されるものではなく、放熱の効率は低下するが、計器装置１の下側に形成してもよいし、また、計器装置１の左右両脇に形成し、放熱を行うようにしてもよい。
【００２２】
【発明の効果】
以上、本発明により、初期の目的である、効率的な放熱を行うが可能であり、また、計器装置の設計の自由度を上げることが可能な計器装置の放熱構造を提供することが可能となる。
【図面の簡単な説明】
【図１】本発明の一実施例における計器装置の正面図である。
【図２】図１中Ａ−Ａ線の断面図である。
【図３】図１中Ｂ−Ｂ線の断面図である。
【図４】同実施例の要部拡大断面図である。
【図５】従来例の計器装置の正面図である。
【図６】同従来例の正面図である。
【図７】図６中Ｃ−Ｃ線の断面図である。
【符号の説明】
１        計器装置
６        表示部
７        フレーム
９        光源
１０        照明室
１１        回路基板（支持部材）
１２        光源
１３        光源保持部材
１５        連通部
１６        貫通孔
１７        底面
Ｓ        収納空間
【図１】
0003775227.tif 000002
【図２】
0003775227.tif 000003
【図３】
0003775227.tif 000004
【図４】
0003775227.tif 000005
【図５】
0003775227.tif 000006
【図６】
0003775227.tif 000007
【図７】
0003775227.tif 000008